(57)【要約】【課題】連結部の外側面と後端面との境界部分を、交換容易に保護できるようにする。【解決手段】ロータ３の連結部の後端面と外側面との境界部分に、第１ガード部材３４と第２ガード部材３５とをそれぞれ着脱可能に設ける。第１ガード部材３４は、連結部３０ａの後端面と外側面の境界部分を覆う第１ガード部３５ａを有する。第２ガード部材３５は、第１ガード部３４ａと対向する位置で連結部３０ａの後端面と外側面の境界部分を覆う第２ガード部３５ａを有する。【選択図】図３
2014121284.tif 000002
【特許請求の範囲】
【請求項１】
釣り糸を前方に繰り出し可能なスピニングリールであって、
ハンドルが回転自在に支持されるリール本体と、
前記リール本体に前記ハンドルと食い違う前後軸回りに回転自在に支持されるロータと、
前記リール本体に前記前後軸方向に移動自在に支持され、前記ロータによって前記釣り糸が巻き付けられるスプールと、を備え、
前記ロータは、
前記リール本体に回転自在に連結される筒状の連結部、前記連結部の後端部から前記連結部と間隔を隔てて前方に延び、一対の第１側部を有する第１ロータアーム、及び前記連結部の後端部の前記第１ロータアームと対向した位置から前記連結部と間隔を隔てて前方に延び、一対の第２側部を有する第２ロータアームを有するロータ本体と、
前記ロータ本体に対して着脱可能であり、前記第１ロータアームの径方向の外側を覆う第１カバー部材と、
前記ロータ本体に着脱可能に設けられ、前記連結部の外側面と後端面との境界部分の少なくとも一部を覆う第１ガード部を有する第１ガード部材と、
前記ロータ本体に着脱可能に設けられ、前記第１ガード部と対向する位置で前記連結部の外側面と後端面との境界部分の少なくとも一部を覆う第２ガード部を有する第２ガード部材と、
前記第１ロータアームと前記第２ロータアームの先端に揺動可能に連結され前記釣り糸を前記スプールに巻き付けるための釣り糸案内部と、を有する、スピニングリール。
【請求項２】
前記第１ガード部及び前記第２ガード部は、前記第１ローラアームと前記第２ロータアームとの間で前記連結部に配置される、請求項１に記載のスピニングリール。
【請求項３】
前記第１ガード部材は、前記第１ガード部に一体形成され、前記第１カバー部材と前記第１ロータアームの一方の前記第１側部との境界部分の少なくとも一部を覆う第３ガード部をさらに有し、
前記第２ガード部材は、前記第２ガード部に一体形成され、前記第１カバー部材と前記第１ロータアームの他方の前記第１側部との境界部分の少なくとも一部を覆う第４ガード部をさらに有する、請求項２に記載のスピニングリール。
【請求項４】
前記第１カバー部材は、少なくとも前記第１ロータアームに第１ネジ部材によって固定され、
前記第１ガード部材は、前記第１ガード部と第３ガード部との接続部分で、前記第２ガード部材は、前記第２ガード部と前記第４ガード部との接続部分で、それぞれ前記ロータ本体に第２ネジ部材によって固定される、請求項２又は３に記載のスピニングリール。
【請求項５】
前記第３ガード部は、前記第１カバー部材と前記第１ロータアームとの間に配置され、前記第１カバー部材によって前記第１ロータアームに固定される第１挟持部を有し、
前記第４ガード部は、前記第１カバー部材と前記第１ロータアームとの間に配置され、前記第１カバー部材によって前記第１ロータアームに固定される第２挟持部を有する、請求項２から４のいずれか１項に記載のスピニングリール。
【請求項６】
前記第１挟持部は、前記第１カバー部材の内側面に係合して前記第３ガード部のずれを防止するための第１係合部と、前記第１係合部と別に設けられ、前記第３ガード部を位置決めする第１位置決め突起と、を有し、
前記第２挟持部は、前記第１カバー部材の内側面に係合して前記第４ガード部のずれを防止するための第２係合部と、前記第２係合部と別に設けられ、前記第４ガード部を位置決めする第３位置決め突起と、を有する、請求項５に記載のスピニングリール。
【請求項７】
前記第１ガード部材の前記第１ガード部と前記第３ガード部、及び前記第２ガード部材の前記第２ガード部と前記第４ガード部は、それぞれ滑らかに接続される、請求項２から６のいずれか１項に記載のスピニングリール。
【請求項８】
前記ロータは、前記ロータ本体に対して着脱可能であり、前記第２ロータアームの径方向の外側を覆う第２カバー部材をさらに有し、
前記第１ロータアームの前記一方の第１側部は、前記他方の第１側部よりも前記ロータの糸巻取方向上流側に配置され、
前記第１ガード部材は、前記第２ロータアームの一方の前記第２側部と第２カバー部材との境界部分の少なくとも一部を覆い前記第１ガード部と一体形成された第５ガード部を有し、
前記第２ガード部材は、前記第２ロータアームの他方の前記第２外側部と前記第２カバー部材との境界部分の少なくとも一部を覆い前記第２ガード部と一体形成された第６ガード部を有し、
前記一方の第２側部は、前記他方の第２側部よりも、前記ロータの糸巻取方向の下流側に配置される、請求項２から７のいずれか１項に記載のスピニングリール。
【請求項９】
前記第２カバー部材は、前記第２ロータアームに少なくとも１本の第３ネジ部材によって固定され、
前記第１ガード部材は、前記第１ガード部と前記第５ガード部との接続部分で、前記第２ガード部材は、前記第２ガード部と前記第６ガード部との接続部分で、それぞれ、前記ロータ本体に第４ネジ部材によって固定される、請求項８に記載のスピニングリール。
【請求項１０】
前記第５ガード部は、前記第２カバー部材と前記第２ロータアームとの間に配置され、前記第２カバー部材によって固定される第３挟持部を有し、
前記第６ガード部は、前記第２カバー部材と前記第２ロータアームとの間に配置され、前記第２カバー部材によって固定される第４挟持部を有する、請求項９に記載のスピニングリール。
【請求項１１】
前記第３挟持部は、前記第２カバー部材の内側面に係合して前記第５ガード部のずれを防止するための第３係合部と、前記第３係合部と別に設けられ、前記第５ガード部を位置決めする第３位置決め突起と、を有し、
前記第４挟持部は、前記第２カバー部材の内側面に係合して前記第６ガード部のずれを防止するための第４係合部と、前記第４係合部と別に設けられ、前記第６ガード部を位置決めする第４位置決め突起と、を有する、請求項１０に記載のスピニングリール。
【請求項１２】
前記第１ガード部材の前記第１ガード部と前記第５ガード部、及び前記第２ガード部材の前記第２ガード部と前記第６ガード部は、それぞれ滑らかに接続されるように形成される、請求項８から９のいずれか１項に記載のスピニングリール。
【請求項１３】
前記第１ガード部材及び前記第２ガード部材は、合成樹脂製であり、外側面に合成樹脂素材が露出する、請求項２から１２のいずれか１項に記載のスピニングリール。
【発明の詳細な説明】
【技術分野】
【０００１】
本発明は、スピニングリール、特に、釣り糸を前方に繰り出すスピニングリールのロータに関する。
【背景技術】
【０００２】
スピニングリールには、釣り糸をスプールに巻き付けるための釣り糸案内部が揺動自在に連結されたロータが設けられる。ロータは、リール本体にピニオンギアを介して回転自在に支持される連結部と、連結部に設けられる第１及び第２ロータアームと、を有する。第１ロータアームの外側面はカバー部材によって覆われる。連結部の後端部には、円筒形の開口部が形成される。この開口部及び第１ロータアーム及び第２ロータアームに設けられるカバー部材の外側面は釣竿に取り付けた状態でスピニングリールを地面に置いたときに傷つくおそれがある。そこで、第１及び第２ロータアーム及び連結部の後端部をガードするためのガード部材を有するスピニングリールが従来知られている（特許文献１および特許文献２参照）。特許文献１のガード部材は金属製で、ロータアームに設けられるカバー部材、又は開口部を覆う後カバー部材と開口部の間から表面に突出するように設けられている。特許文献２のガード部材は、金属製の一体形成された部材であり、第１及び第２ロータアームを補強する機能と、ガードする機能とを有している。ガード部材は、連結部の後端部及びカバー部材と第１及び第２ロータアームの間に配置される。
【先行技術文献】
【特許文献】
【０００３】
【特許文献１】特開２００５−０９５１３１号公報。
【特許文献２】特開２００４−１４１０３９号公報。
【発明の概要】
【発明が解決しようとする課題】
【０００４】
従来のスピニングリールでは、ガード部材が傷付いたときに、ガード部材を交換しようとすると、開口を覆う後カバー部材を外すなど、ロータをリール本体から取り外さなければならず、ガード部材を交換しにくい。
【０００５】
本発明の課題は、連結部の後端面と外側面との境界部分を、交換容易に保護できるようにすることにある。
【課題を解決するための手段】
【０００６】
発明１に係るスピニングリールは、釣り糸を前方に繰り出し可能なリールである。スピニングリールは、リール本体と、ロータと、スプールと、を備える。リール本体は、ハンドルが回転自在に支持される。ロータは、リール本体にハンドルと食い違う前後軸回りに回転自在に支持される。スプールは、リール本体に前後軸方向に移動自在に支持され、ロータによって釣り糸が巻き付けられる。
【０００７】
ロータは、ロータ本体と、第１カバー部材と、第１ガード部材と、第２ガード部材と、釣り糸案内部と、を有する。ロータ本体は、筒状の連結部と、第１ロータアームと、第２ロータアームと、を有する。筒状の連結部は、リール本体に回転自在に支持される。第１ロータアームは、連結部の後端部から連結部と間隔を隔てて前方に延びる。第１ロータアームは、一対の第１側部を有する。第２ロータアームは、連結部の後端部の第１ロータアームと対向した位置から連結部と間隔を隔てて前方に延びる。第２ロータアームは一対の第２側部を有する。
【０００８】
第１カバー部材は、ロータ本体に着脱可能に設けられ、第１ロータアームの径方向の外側を覆う。第１ガード部材は、ロータ本体に着脱可能に設けられ、連結部の外側面と後端面との境界部分の少なくとも一部を覆う第１ガード部を有する。第２ガード部材は、ロータ本体に着脱可能に設けられ、第１ガード部と対向する位置で連結部の外側面と後端面との境界部分の少なくとも一部を覆う第２ガード部を有する。釣り糸案内部は、第１ロータアームの先端に揺動自在に設けられる。
【０００９】
このスピニングリールでは、第１ガード部材の第１ガード部が、連結部の後端面と外側面との境界部分の少なくとも一部を覆う。また、第２ガード部材の第２ガード部が、第１ガード部と対向する位置で連結部の後端面と外側面との境界部分の少なくとも一部を覆う。ここでは、第１ガード部材と第２ガード部材との２つのガード部材によって、連結部の外側面と後端面との境界部分の少なくとも一部をそれぞれ別の位置で保護しているため、ロータをリール本体から取り外すことなく、第１ガード部材及び第２ガード部材を別々に着脱できる。このため、連結部の後端面と外側面とを、交換容易に保護できるようになる。
【００１０】
発明２に係るスピニングリールは、発明１に記載のスピニングリールにおいて、第１ガード部及び第２ガード部は、第１ロータアームと第２ロータアームとの間で連結部に配置される。この場合には、第１ガード部及び第２ガード部が、第１ロータアームと第２ロータアームの間で連結部に配置されるので、接地しやすい連結部の後端部を確実に保護できる。また、第１ロータアーム及び第２ロータアームを合わせて保護する場合に、第１ロータアーム及び第２ロータアームを保護する部分を一体形成しやすい。
【００１１】
発明３に係るスピニングリールは、発明２に記載のスピニングリールにおいて、第１ガード部材は、第１ガード部に一体形成され、第１カバー部材と第１ロータアームの一方の第１側部との境界部分の少なくとも一部を覆う第３ガード部をさらに有する。第２ガード部材は、第２ガード部に一体形成され、第１カバー部材と第１ロータアームの他方の第１側部との境界部分の少なくとも一部を覆う第４ガード部をさらに有する。この場合には、連結部の後端面と外側面の保護に加えて、第１ロータアームの一対の側部と第１カバー部材との境界部分も保護できる。
【００１２】
発明４に係るスピニングリールは、発明２又は３に記載のスピニングリールにおいて、第１カバー部材は、少なくとも第１ロータアームに第１ネジ部材によって固定される。第１ガード部材は、第１ガード部と第３ガード部との接続部分で、また第２ガード部材は、第２ガード部と第４ガード部との接続部分で、それぞれロータ本体に第２ネジ部材によって固定される。
【００１３】
この場合には、第１カバー部材が第１ロータアームに第１ネジ部材によって固定され、第１ガード部材及び第２ガード部材はそれぞれ第２ネジ部材によってロータ本体に固定される。このため、それぞれの第２ネジ部材によって第１ガード部材及び第２ガード部材をロータ本体から着脱できる。
【００１４】
発明５に係るスピニングリールは、発明２に記載のスピニングリールにおいて、第３ガード部は、第１カバー部材と第１ロータアームとの間に配置され、第１カバー部材によって第１ロータアームに固定される第１挟持部を有する。第４ガード部は、第カバー部材と第１ロータアームとの間に配置され、第１カバー部材によって第１ロータアームに固定される第２挟持部を有する。
【００１５】
この場合には、第１カバー部材が第１ロータアームに固定されると、第１挟持部及び第２挟持部が第１ロータアームに固定される。このため、第３ガード部材及び第４ガード部材をそれぞれ１本の第２ネジ部材で固定しても、第３ガード部及び第４ガード部がガタツキにくくなる。
【００１６】
発明６に係るスピニングリールは、発明５に記載のスピニングリールにおいて、第１挟持部は、第１カバー部材の内側面に係合して第３ガード部のずれを防止するための第１係合部と、第１係合部と別に設けられ、第３ガード部を位置決めする第１位置決め突起と、を有する。第２挟持部は、第１カバー部材の内側面に係合して第４ガード部のずれを防止するための第２係合部と、第２係合部と別に設けられ、第４ガード部を位置決めする第２位置決め突起と、を有する。
【００１７】
この場合には、第１ガード部材及び第２ガード部材をそれぞれ１本の第２ネジ部材によってロータ本体に固定しても、第１ガード部材の第３ガード部のずれを第１係合部によって、第２ガード部材の第４ガード部のずれを第２係合部によってそれぞれ防止できる。また、第１位置決め突起によって第１ガード部が位置決めされ、第２位置決め突起によって第３ガード部が位置決めされるので、第３ガード部及び第４ガード部が位置ずれしにくくなる。
【００１８】
発明７に係るスピニングリールは、発明２から６のいずれかに記載のスピニングリールにおいて、第１ガード部材の第１ガード部と第３ガード部、及び第２ガード部材の第２ガード部と第４ガード部は、それぞれ滑らかに接続される。
【００１９】
この場合、前後方向に沿って配置される第３ガード部及び周方向に沿って配置される第１ガード部、並びに前後方向に沿って配置される第４ガード部及び周方向に沿って配置される第２ガード部がそれぞれ滑らかに接続されるので、接続部分に釣り糸が引っ掛かりにくい。
【００２０】
発明８に係るスピニングリールは、発明１から５のいずれかに記載のスピニングリールにおいて、ロータは、ロータ本体に対して着脱可能であり、第２ロータアームの径方向の外側を覆う第２カバー部材をさらに有する。第１ロータアームの一方の第１側部は、他方の第１側部よりもロータの糸巻取方向の上流側に配置される。第１ガード部材は、第２ロータアームの一方の第２側部と第１カバー部材との境界部分の少なくとも一部を覆い、第１ガード部と一体形成された第５ガード部を有する。第２ガード部材は、第２ロータアームの他方の第２側部と第２カバー部材との境界部分の少なくとも一部を覆い第２ガード部と一体形成された第６ガード部を有する。第２ロータアームの一方の第２側部は、他方の第２側部よりもロータの糸巻取方向の下流側に配置される。
【００２１】
この場合には、第１ガード部材によって第２ロータアームの一方の第２側部と第２カバー部材との境界部分を覆い、第２ガード部材によって第２ロータアームの他方の第２側部と第２カバー部材との境界部分を覆うので、連結部の後端面と外側面との境界部分及び第１ロータアームの一対の第１側部と第１カバー部材との境界部分に加えて第２ロータアームの一対の第２側部と第２カバー部材との境界部分を保護できる。
【００２２】
発明９に係るスピニングリールは、発明８に記載のスピニングリールにおいて、第２カバー部材は、少なくとも第２ロータアームに第３ネジ部材によって固定される。第１ガード部材は、第１ガード部と第５ガード部との接続部分で、第２ガード部材は、第２ガード部と第６ガード部との接続部分で、それぞれ、ロータ本体に第４ネジ部材によって固定される。
【００２３】
この場合には、第２カバー部材がロータに第３ネジ部材によって固定され、第１ガード部材及び第２ガード部材はそれぞれ第２ネジ部材及び第４ネジ部材によってロータ本体に固定される。このため、それぞれの第２ネジ部材及び第４ネジ部材によって第１ガード部材及び第２ガード部材をロータ本体から着脱できる。
【００２４】
発明１０に係るスピニングリールは、発明９に記載のスピニングリールにおいて、第５ガード部は、第２カバー部材と第２ロータアームとの間に配置され、第２カバー部材によって第２ロータアームに固定される第３挟持部を有する。第６ガード部は、第２カバー部材と第２ロータアームとの間に配置され、第２カバー部材によって第２ロータアームに固定される第４挟持部を有する。
【００２５】
この場合には、第２カバー部材が第２ロータアームに固定されると、第３挟持部及び第４挟持部が第２ロータアームに固定される。このため、第１ガード部材及び第２ガード部材をそれぞれ接続部分において第２ネジ部材で固定しても、第５ガード部及び第６ガード部がガタツキにくくなる。
【００２６】
発明１１に係るスピニングリールは、発明１０に係るスピニングリールにおいて、第３挟持部は、第２カバー部材の内側面に係合して第５ガード部のずれを防止するための第３係合部と、第３係合部と別に設けられ、第５ガード部を位置決めする第３位置決め突起と、を有する。第４挟持部は、第２カバー部材３３の内側面に係合して第６ガード部のずれを防止するための第４係合部と、第４係合部と別に設けられ、第６ガード部を位置決めする第４位置決め突起と、を有する。
【００２７】
この場合には、第１ガード部材及び第２ガード部材のそれぞれを接続部分で第２ネジ部材及び第４ネジ部材によってロータ本体に固定しても、第１ガード部材の第５ガード部及び第２ガード部材の第６ガード部のそれぞれのずれを第３係合部及び第４係合部によって防止でき、かつ第３位置決め突起及び第４位置決め突起によってそれぞれの位置決めがなされるので、第１ガード部材に第５ガード部を、第２ガード部材に第６ガード部を設けても、第５ガード部及び第６ガード部が位置ずれしにくくなる。
【００２８】
発明１２に係るスピニングリールは、発明８から１１のいずれかに記載のスピニングリールにおいて、第１ガード部材の第１ガード部と第５ガード部、及び第２ガード部材の第２ガード部と第６ガード部は、それぞれ滑らかに接続されるように形成される。
【００２９】
この場合に、前後方向に沿って配置される第５ガード部及び周方向に沿って配置される第１ガード部、並びに前後方向に沿って配置される第６ガード部及び周方向に沿って配置される第２ガード部がそれぞれ滑らかに接続されるので、接続部分に釣り糸が引っ掛かりにくい。
【００３０】
発明１３に係るスピニングリールは、発明２から１２のいずれかに記載のスピニングリールにおいて、第１ガード部材及び第２ガード部材は、合成樹脂製であり、外側面に合成樹脂素材が露出する。この場合には、第１ガード部材及び第２ガード部材が合成樹脂製であるので、金属製のものに比べて柔らかく傷付きやすいがガード部材を設けても軽量化を図れる。また、合成樹脂素材が外部に露出する、すなわち、めっきや塗装などによって被膜が形成されていないため、被膜が剥離せず素材自体が傷付くだけである。このため、第１ガード部材及び第２ガード部材が傷付いても傷が目立ちにくい。
【発明の効果】
【００３１】
本発明によれば、第１ガード部材と第２ガード部材との２つのガード部材によって、第１ロータアームの一対の第１側部と第１ガード部材との境界部分の少なくとも一部を覆うことができるので、第１ロータアームと第１カバー部との境界部分を保護できる。しかも、第１ガード部材と第２ガード部材の２つのガード部材によって第１ロータアームの一対の第１側部と第１ガード部材との境界部分及び連結部の外側面と後端面との境界部分をそれぞれ保護しているため、ロータを外すことなく、第１ガード部材及び第２ガード部材を別々に着脱できる。このため、ロータアームとカバー部材との境界部分及び連結部の後端面と外側面とを、交換容易に保護できるようになる。
【図面の簡単な説明】
【００３２】
【図１】本発明の一実施形態によるスピニングリールの側面図。
【図２】スピニングリールの側面断面図。
【図３】ロータの分解斜視図。
【図４】ガード部材の分解斜視図。
【図５】第２ロータアームの先端側の模式的断面部分図。
【図６】第２ロータアームの基端側の模式的断面部分図
【図７】他の実施形態の図４に相当する分解斜視図。
【発明を実施するための形態】
【００３３】
＜全体構成及びリール本体の構成＞
図１及び図２において、本発明の一実施形態によるスピニングリール１００は、釣り糸を前方に繰り出すものである。スピニングリール１００は、ハンドル１を回転自在に支持するリール本体２と、ロータ３と、スプール４とを備えている。ロータ３は、スプール４に釣り糸を巻き付けるものであり、リール本体２の前部に回転自在に支持されている。スプール４は、外周面に釣り糸を巻き取るものであり、ロータ３の前部に前後移動自在に配置されている。なお、ハンドル１は、図１に示すリール本体２の左側と、リール本体２の右側とのいずれにも装着可能である。
【００３４】
ハンドル１は、図１及び図２に示すように、ハンドル軸８ａ（図２）の先端に装着され、ハンドル軸８ａと交差する方向に延びるハンドルアーム８と、ハンドルアーム８の先端に固定された把手軸（図示せず）と、把手軸に回転自在に装着されたハンドル把手９とを備えている。
【００３５】
＜リール本体の構成＞
リール本体２は、図１及び図２に示すように、開口を有する、例えばアルミニウム合金製のリーにボディ２ａと、開口を塞ぐようにリーにボディ２ａに着脱自在に装着された、例えばアルミニウム合金製の蓋部材２ｂ（図１参照）と、リールボディ２ａから斜め上前方に延びる竿取付脚２ｃと、を有している。リーにボディ２ａは、内部に開口に連なる空間を有しており、その空間内には、ロータ３をハンドル１の回転に連動して回転させるロータ駆動機構５と、スプール４を前後に移動させて釣り糸を均一に巻き取るためのオシレーティング機構６とが設けられている。リーにボディ２ｂ及び蓋部材２ｂの後部は、本体ガード７が装着される。本体ガード７は、１本のネジ部材によってリーにボディ２ａに固定される。
【００３６】
＜ロータ駆動機構の構成＞
ロータ駆動機構５は、図２に示すように、ハンドル１のハンドル軸８ａが固定された駆動軸１０、駆動軸１０とともに回転する駆動ギア１１と、駆動ギア１１に噛み合うピニオンギア１２とを有している。駆動軸１０は、たとえば、ステンレス合金製の筒状の軸であり、リールボディ２ａ及び蓋部材２ｂに装着された軸受（図示せず）により両端支持されている。駆動軸１０の両内周面には、雌ねじ部（図示せず）が形成されている。
【００３７】
ピニオンギア１２は、たとえば、ステンレス合金製の筒状の部材であり、その前部１２ａはロータ３の中心部を貫通しており、ナット１３によりロータ３と一体回転可能に固定されている。ナット１３は、リテーナ１８によって回り止めされる。リテーナ１８は、ロータ３に固定される。ピニオンギア１２は、その軸方向の中間部と後端部とが、リールボディ２ａに間隔を隔てて装着された軸受１４ａ，１４ｂによりリールボディ２ａに回転自在に支持されている。
【００３８】
＜オシレーティング機構の構成＞
オシレーティング機構６は、スプール４の中心部にドラグ機構６０を介して連結されたスプール軸１５を前後方向に移動させてスプール４を同方向に往復移動させるための機構である。オシレーティング機構６は、スプール軸１５の下方に平行に配置された螺軸２１と、螺軸２１に沿って前後方向に移動するスライダ２２と、螺軸２１の先端に固定された中間ギア２３とを有している。螺軸２１は前後方向に配置されており、リールボディ２ａに回転自在に支持されている。スライダ２２にはスプール軸１５の基端が回転不能に連結されている。
【００３９】
スライダ２２にはスプール軸１５の後端が回転不能に固定されている。スライダ２２は、リールボディ２ａに前後方向に沿って配置された２本のガイド軸（図示せず）により前後方向に案内されている。中間ギア２３は、ピニオンギア１２に噛み合っている。
【００４０】
スプール軸１５は、ピニオンギア１２の中心部を貫通して配置されている。スプール軸１５は、ピニオンギア１２の内部をオシレーティング機構６により前後に往復移動する。スプール軸１５は、中間部がナット１３内に装着された軸受１６により、後部がピニオンギア１２の後部内周面により、回転自在かつ軸方向移動自在に支持されている。
【００４１】
＜ロータの構成＞
ロータ３は、図２及び図３に示すように、ピニオンギア１２を介してリール本体２に回転自在に支持される。ロータ３は、ピニオンギア１２に一体回転可能に連結されたロータ本体３０と、第１カバー部材３２と、第２カバー部材３３と、第１ガード部材３４（図３参照）と、第２ガード部材３５と、ベールアーム３６（釣り糸案内部の一例）と、を有する。
【００４２】
ロータ本体３０は、ピニオンギア１２を介してリール本体２に回転自在に連結される有底筒状の連結部３０ａと、第１ロータアーム３０ｂと、第２ロータアーム３０ｃと、を有する。連結部３０ａは、後方に向かってわずかに拡径する筒状に形成される。第１ロータアーム３０ｂは、連結部３０ａの後端部の第１側（図２上側）から連結部３０ａと間隔を隔てて前方に延びる。第２ロータアーム３０ｃは、連結部３０ａの後端部の第１側と対向する第２側（図２下側）から連結部３０ａと間隔を隔てて前方に延びる。ロータ本体３０は、たとえばアルミニウム合金製又はマグネシウム合金製であり一体成形されている。
【００４３】
連結部３０ａの前部には、壁部３１ａが形成されており、壁部３１ａの中央部にはボス部３１ｂが形成されている。ボス部３１ｂの中心部には貫通孔３１ｃが形成されており、この貫通孔３１ｃをピニオンギア１２の前部１２ａ及びスプール軸１５が貫通している。壁部３１ａの前部にロータ３をピニオンギア１２に固定するためのナット１３が配置されておる。ナット１３とスプール軸１５との間には、スプール軸１５とナット１３との隙間から液体がリーにボディ２ａ内に浸入するのを防止するためのシール部材１７が装着されている。シール部材１７は、ナット１３に接触して配置される。連結部３０ａの後部には、リール本体２の前部を収納可能な円形空間を有する凹陥部３１ｄが形成されている。
【００４４】
連結部３０ａの壁部３１ａの前面には、リテーナ１８が装着される。リテーナ１８は、複数（例えば３本）のボルト部材１８ａによって壁部３１ａに固定される。リテーナ１８は、ナット１３を回り止めするとともに、シール部材１７を僅かに押圧して軸受１６とスプール軸１５との隙間が生じないようにするために設けられる。壁部３１ａには、図３に拡大して示すように、他の部分よりも僅かに（例えば０．５ｍｍから２ｍｍ）前方に突出する雌ネジ部を有する取付座３１ｅが設けられる。このように他の部分より突出した取付座３１ｅは、端面を機械加工可能であるので、リテーナ１８の取り付け姿勢が傾きにくくなり、シール部材１７を安定して押圧することができる。これにより、シール部材１７のシール性能が向上する。
【００４５】
第１ロータアーム３０ｂは、図３に示すように、連結部３０ａから外方に凸に湾曲して前方に延びており、連結部３０ａの周方向に広がり湾曲している。第１ロータアーム３０ｂは、一対の第１側部３０ｄ，３０ｅを有している。一方の第１側部３０ｄは、他方の第１側部３０ｅよりもロータ３の矢印Ａで示す糸巻取回転方向の上流側に配置される。第２ロータアーム３０ｃは、連結部３０ａから外方に凸に湾曲して前方に延びており、連結部３０ａとの接続部は連結部３０ａの周方向に広がり湾曲している。第２ロータアーム３０ｃは、一対の第２側部３０ｆ，３０ｇを有している。一方の第２側部３０ｆは、他方の第２側部３０ｇよりもロータ３の矢印Ａで示す糸巻取回転方向の下流側に配置される。
【００４６】
第１カバー部材３２は、第１ロータアーム３０ｂの径方向外側を覆う。第１カバー部材３２は、３次元曲面で構成された外側面を有する。第１カバー部材３２は、外側面と後端部とから装着される２本のネジ部材５５ａにより、第１ロータアーム３０ｂに固定される。ネジ部材５５ａは、第１ネジ部材の一例である。第１カバー部材３２と第１ロータアーム３０ｂとの間には、ベール反転機構３９が設けられている。第１カバー部材３２の後端部は、連結部３０ａの後端外周面に沿って円弧状に形成される。これにより、第１ロータアーム３０ｂの後端部がカバーされる。第１カバー部材３２の両側部には、第１ガード部材３４の後述する第３ガード部３４ｂ及び第２ガード部材３５の後述する第４ガード部３５を装着するための僅かに凹んだ一対の第１装着凹部３２ａが形成される。
【００４７】
第２カバー部材３３は、第２ロータアーム３０ｃの径方向外側を覆う。第２カバー部材３３は、３次元曲面で構成された外側面を有する。第２カバー部材３３は、中央部が開口している。第２カバー部材３３は、外側面と後端部とから装着される２本のネジ部材５５ｂにより、第２ロータアーム３０ｃに固定される。ネジ部材５５ｂは、第３ネジ部材の一例である。第２カバー部材３３の後端部は、連結部３０ａの後端外周面に沿って円弧状に形成される。これにより、第２ロータアーム３０ｃの後端部がカバーされる。第２カバー部材３３の両側部には、第１ガード部材３４の後述する第５ガード部３４ｃ及び第２ガード部材３５の後述する第６ガード部３５ｃを装着するための僅かに凹んだ一対の第２装着凹部３３ａが形成される。
【００４８】
図３及び図４に示すように、第１ガード部材３４は、ロータ本体３０に着脱可能に設けられる。第１ガード部材３４は、第１ガード部３４ａと、第３ガード部３４ｂと、第５ガード部３４ｃと、を有している。第２ガード部材３５は、第２ガード部３５ａと、第４ガード部３５ｂと、第６ガード部３５ｃと、を有している。第１ガード部材３４及び第２ガード部材３５は、それぞれ例えば、ポリアミド樹脂、ポリアセタール樹脂等の合成樹脂製であり、合成樹脂の素材がそのまま外側面に露出するように形成される。したがって、外側面には、めっき又は塗装等による被膜は形成されていない。このため、第１ガード部材３４及び第２ガード部材では、合成樹脂の素材の色（例えば、黒色、黄色、赤色、灰色、又は白色等）がそのまま外観に表れる。
【００４９】
第１ガード部３４ａは、円形の連結部３０ａの外側面と後端面との境界部分の少なくとも一部を覆う。この実施形態では、第１ガード部３４ａは、第１ロータアーム３０ｂと第２ロータアーム３０ｃの間に配置される。第１ガード部３４ａは、連結部３０ａの後端面に沿って円弧状に湾曲して形成される。第３ガード部３４ｂは、第１ガード部３４ａと一体形成され、第１カバー部材３２と第１ロータアーム３０ｂの一方の第１側部３０ｄとの境界部分の少なくとも一部（この実施形態では一部）を覆う。第２ガード部３４ｂは、第１ロータアーム３０ｂの一方の第１側部３０ｄに沿って前方に延びる。第５ガード部３４ｃは、第３ガード部３４ｂと半端側の位置で第１ガード部３４ａと一体形成される。第５ガード部３４ｃは、第２カバー部材３３と第２ロータアーム３０ｃの一方の第１側部３０ｆとの境界部分の少なくとも一部（この実施形態では一部）を覆う。第５ガード部３４ｃは、第２ロータアーム３０ｃの一方の第１側部３０ｆに沿って前方に延びる。
【００５０】
第２ガード部３５ａは、第２ガード部３４ｂと対向する位置で円形の連結部３０ａの外側面と後端面との境界部分の一部を覆う。第２ガード部３５ａは、連結部３０ａの後端面に沿って円弧状に湾曲して形成される。第４ガード部３５ｂは、第２ガード部３５ａと一体形成され、第１カバー部材３２と第１ロータアーム３０ｂの他方の第１側部３０ｅとの境界部分の少なくとも一部（この実施形態では一部）を覆う。第４ガード部３５ｂは、第１ロータアーム３０ｂの他方の第１側部３０ｅに沿って前方に延びる。第６ガード部３５ｃは、第４ガード部３５ｂと反対側の位置で第２ガード部３５ａと一体形成される。第６ガード部３５ｃは、第２カバー部材３３と第２ロータアーム３０ｃの他方の第２側部３０ｇとの境界部分の少なくとも一部（この実施形態では一部）を覆う。第６ガード部３５ｃは、第２ロータアーム３０ｃの他方の第１側部３０ｇに沿って前方に延びる。
【００５１】
第１ガード部３４ａと第３ガード部３４ｂとの境界部分及び第２ガード部３５ａと第４ガード部３５ｂとの境界部分には、それぞれ第１固定ブラケット３４ｄ，３５ｄが対向して配置されている。第１固定ブラケット３４ｄ，３５ｄは、連結部３０ａの後面に形成された図示しないボス部に接触して配置される。第１固定ブラケット３４ｄ，３５ｄを貫通通して第１ボス部に螺合するネジ部材５６ａによって、第１固定ブラケット３４ｄ及び第１固定ブラケット３５ｄは、第１ボス部に固定される。ネジ部材５６ａは第２ネジ部材の一例である。
【００５２】
第１ガード部３４ａと第５ガード部３４ｃとの境界部分及び第２ガード部３５ａと第６ガード部３５ｃとの境界部分には、それぞれ第２固定ブラケット３４ｅ，３５ｅが対向して配置されている。第２固定ブラケット３４ｅ，３５ｅは、連結部３０ａの後面に形成された図示しない第２ボス部に接触して配置される。第２固定ブラケット３４ｅ，３５ｅを貫通して第２ボス部に螺合するネジ部材５６ｂによって、第２固定ブラケット３４ｅ及び第２固定ブラケット３５ｅは、第２ボス部に固定される。ネジ部材５６ｂは第４ネジ部材の一例である。したがって、第１ガード部材３４及び第２ガード部材３５は、ネジ部材５６ａ及びネジ部材５６ｂによって、ロータ本体３０に着脱可能に固定される。
【００５３】
第１ガード部材３４の第２ガード部３４ｂは、図４、図５及び図６に示すように第１挟持部３４ｆを有する。第１挟持部３４ｆは、第１カバー部材３２と１ロータアーム３０ｂとの間に配置され、第１カバー部材３２を第１ロータアーム３０ｂに固定することによって、第１ロータアーム３０ｂに固定される。第１挟持部３４ｆは、第１カバー部材３２の内側面に係合して第２ガード部３４ｂが第１カバー部材３２に対してずれるのを防止するための第１係合部３４ｇと、第１係合部３４ｇと別に設けられ、第１カバー部材３２に対して第２ガイド部３４ｂを位置決めする第１位置決め突起３４ｈを有する。第１係合部３４ｇは、第１カバー部材３２の内側面に形成された傾斜面３２ｂ（図５参照）に係合する。第１位置決め突起３４ｈは、第１カバー部材３２の内側面に形成された位置決め凹部３２ｃに嵌合する。
【００５４】
第２ガード部材３５の第４ガード部３５ｂは、第２挟持部３５ｆを有する。第２挟持部３５ｆは、第１カバー部材３２と１ロータアーム３０ｂとの間に配置され、第１カバー部材３２を第１ロータアーム３０ｂに固定することによって、第１ロータアーム３０ｂに固定される。第２挟持部３５ｆは、第１カバー部材３２の内側面に係合して第４ガイド部３５ｂが第１カバー部材３２に対してずれるのを防止するための第２係合部３５ｇと、第２係合部３５ｇと別に設けられ、第１カバー部材３２に対して第４ガイド部３５ｂを位置決めする第２位置決め突起３５ｈを有する。第２係合部３５ｇは、第１カバー部材３２の内側面に形成された傾斜面３２ｂ（図５参照）に係合する。第２位置決め突起３５ｈは、第１カバー部材３２の内側面に形成された位置決め凹部３２ｃに嵌合する。
【００５５】
また、第１ガード部材３４の第５ガード部３４ｃは、第３挟持部３４ｉを有する。第３挟持部３４ｉは、第２カバー部材３３と第２ロータアーム３０ｃとの間に配置され、第２カバー部材３３を第２ロータアーム３０ｃに固定することによって、第２ロータアーム３０ｃに固定される。第３挟持部３４ｉは、第２カバー部材３３の内側面に係合して第５ガード部３４ｃが第２カバー部材３３に対してずれるのを防止するための第３係合部３４ｊと、第３係合部３４ｊと別に設けられ、第２カバー部材３３に対して第５ガード部３４ｃを位置決めする第３位置決め突起３４ｋと、有する。第３係合部３４ｊは、第２カバー部材３３の内側面に形成された傾斜面３３ｂ（図５参照）に係合する。第３位置決め突起３４ｋは、第２カバー部材３３の内側面に形成された位置決め凹部３２ｃに嵌合する。
【００５６】
第２ガード部材３５の第６ガード部３５ｃは、第４挟持部３５ｉを有する。第４挟持部３５ｉは、第２カバー部材３３と第２ロータアーム３０ｃとの間に配置され、第２カバー部材３３を第２ロータアーム３０ｃに固定することによって、第２ロータアーム３０ｃに固定される。第４挟持部３５ｉは、第２カバー部材３３の内側面に係合して第６ガード部３５ｃが第２カバー部材３３に対してずれるのを防止するための第４係合部３５ｊと、第４係合部３５ｊと別に設けられ、第２カバー部材３３に対して第６ガード部３５ｃを位置決めする第４位置決め突起３５ｋと、を有する。第４係合部３５ｊは、第２カバー部材３３の内側面に形成された傾斜面３３ｂ（図５参照）に係合する。第４位置決め突起３５ｋは、第２カバー部材３３の内側面に形成された位置決め凹部３２ｃに嵌合する。
【００５７】
第１ガード部材３４の第３ガード部３４ｂと第１ガード部３４ａと第５ガード部３４ｃは、滑らかに接続される。第２ガード部材３５の第４ガード部３５ｂと第２ガード部３５ａと第６ガード部３５ｃは、滑らかに接続される。
【００５８】
＜ベールアームの構成＞
ベールアーム３６は、図２に示すように、第１及び第２ロータアーム３０ｂ，３０ｃの先端に糸解放姿勢と糸巻き取り姿勢との間で揺動自在に装着されている。ベールアーム３６は、ベール反転機構３９（図３）により糸解放姿勢と糸巻き取り姿勢とに振り分けて付勢されている。ベールアーム３６は、糸巻取姿勢にあるとき、ロータ３の糸巻取方向の回転により、釣り糸をスプール４に巻き付ける。
【００５９】
ベールアーム３６は、第１ロータアーム３０ｂの先端の外周側に揺動自在に装着された第１ベール支持部材４０と、第２ロータアーム３０ｃの先端の外周側に揺動自在に装着された第２ベール支持部材４２と、第１ベール支持部材４０の先端に回転自在に装着されたラインローラ４１と、を有している。また、ベールアーム３６は、第１ベール支持部材４０の先端に固定され第１ベール支持部材４０に片持ち支持された、ラインローラ４１を支持する固定軸（図示せず）と、固定軸の先端側に配置された固定軸カバー４４と、固定軸カバー４４と第２ベール支持部材とを連結するベール４５と、を有している。
【００６０】
＜その他の構成＞
図２に示すように、ロータ３の連結部３０ａの内部にはロータ３の逆転を禁止するための逆転防止機構５０が配置されている。逆転防止機構５０は、内輪が遊転するローラ型のワンウェイクラッチ５１を有している。この逆転防止機構５０は、ロータ３の糸繰り出し方向の逆転を常時禁止しており、逆転を許可する状態をとることはない。
【００６１】
スプール４は、図２に示すように、ロータ３の第１ロータアーム３０ｂと第２ロータアーム３０ｃとの間に配置されており、スプール軸１５の先端に回転自在に支持されている。スプール４は、スプール軸１５とともに前後移動しながら、外周に釣り糸が巻かれる。スプール４は、たとえばアルミニウム合金製のものである。スプール４の内部には、設定されたドラグ力がスプール４に作用するようにスプール４を制動するドラグ機構６０が収納されている。
【００６２】
ドラグ機構６０は、図２に示すように、スプール４の糸繰り出し方向への回転を制動してスプール４にドラグ力を作用させるための機構である。ドラグ機構６０は、ドラグ力を手で調整するためのドラグつまみ組立体７０と、ドラグつまみ組立体７０によりにスプール４側に押圧されてドラグ力が調整される摩擦部７１と、を備えている。ドラグつまみ組立体７０は、スプール4の前部に配置されている。摩擦部７１は、スプール４の内部に配置されている。
【００６３】
＜第１ガード部材及び第２ガード部材の交換方法＞
このような構成のスピニングリール１００では、例えば、第１ガード部材３４が傷ついた場合、第１カバー部材３２を固定している２本のネジ部材５５ａを外して、第１カバー部材３２を第１ロータアーム３０ｂから取り外す。そして、第１ガード部材３４をロータ本体３０に固定している２本のネジ部材５６ａ，５６ｂを外せば、第１ガード部材３４をロータ本体３０から取り外すことができる。
【００６４】
また、第１ガード部材３４及び第２ガード部材３５は表面に素材の色が表れる被膜を有さない合成樹脂製であるので、傷ついても傷があまり目立たない。
【００６５】
＜特徴＞
上記実施形態は、下記のように表現可能である。
【００６６】
（Ａ）スピニングリール１００は、釣り糸を前方に繰り出し可能なリールである。スピニングリール１００は、リール本体２と、ロータ３と、スプール４と、を備える。リール本体２は、ハンドル１が回転自在に支持される。ロータ３は、リール本体２にハンドル１と食い違う前後軸回りに回転自在に支持される。スプール３は、リール本体２に前後軸方向に移動自在に支持され、ロータ３によって釣り糸が巻き付けられる。
【００６７】
ロータ３は、ロータ本体３０と、第１カバー部材３２と、第１ガード部材３４と、第２ガード部材３５と、ベールアーム３６と、を有する。ロータ本体３０は、筒状の連結部３０ａと、第１ロータアーム３０ｂと、第２ロータアーム３０ｃと、を有する。筒状の連結部３０ａは、リール本体２に回転自在に支持される。第１ロータアーム３０ｂは、連結部３０ａの後端部から連結部３０ａと間隔を隔てて前方に延びる。第１ロータアーム３０ｂは、一対の第１側部３０ｄ，３０ｅを有する。第２ロータアーム３０ｃは、連結部３０ａの後端部の第１ロータアーム３０ｂと対向した位置から連結部３０ａと間隔を隔てて前方に延びる。第２ロータアーム３０ｃは一対の第２側部３０ｆ、３０ｇを有する。
【００６８】
第１カバー部材３２は、ロータ本体３０に着脱可能に設けられ、第１ロータアーム３０ｂの径方向の外側を覆う。第１ガード部材３４は、ロータ本体３０に着脱可能に設けられ、第１ガード部３４ａを有する。第１ガード部３４ａは、連結部３０ａの外側面と後端面との境界部分の少なくとも一部を覆う。第２ガード部材３５は、ロータ本体３０に着脱可能に設けられ、第２ガード部３５ａを有する。第２ガード部３５ａは、第第２ガード部３４ｂと対向する位置で連結部３０ａの外側面と後端面との境界部分の少なくとも一部を覆う。ベールアーム３６は、第１ロータアーム３０ｂ及び第２ロータアーム３０ｃの先端に揺動自在に設けられる。
【００６９】
このスピニングリール１００では、第１ガード部材３４の第１ガード部３４ａが、連結部３０ａの後端面と外側面との境界部分の少なくとも一部を覆う。また、第２ガード部材３５の第２ガード部３５ａが、第１ガード部３４ａと対向する位置で連結部３０ａの後端面と外側面との境界部分の一部を覆う。ここでは、第１ガード部材３４と第２ガード部材３５との２つのガード部材によって、連結部３０ａの外側面と後端面との境界部分の少なくとも一部をそれぞれ別の位置で保護しているため、ロータ３をリール本体２から外すことなく、第１ガード部材３４及び第２ガード部材３５を別々に着脱できる。このため、連結部３０ａの後端面と外側面とを、交換容易に保護できるようになる。
【００７０】
（Ｂ）スピニングリール１００において、第１ガード部３４ａ及び第２ガード部３５ａは、第１ローラアーム３０ｂと第２ロータアーム３０ｃとの間で連結部３０ａに配置される。この場合には、第１ガード部３４ａ及び第２ガード部３５ａが、第１ロータアーム３０ｂと第２ロータアーム３０ｃの間で連結部３０ａに配置されるので、接地しやすい連結部３０ａの後端部を確実に保護できる。また、第１ロータアーム３０ｂ及び第２ロータアーム３０ｃを合わせて保護する場合に、第１ロータアーム３０ｂ及び第２ロータアーム３０ｃを保護する部分を一体形成しやすい。
【００７１】
（Ｃ）スピニングリール１００において、第１ガード部材３４は、第１ガード部３４ａに一体形成され、第１カバー部材３２と第１ロータアーム３０ｂの一方の第１側部３０ｄとの境界部分の少なくとも一部を覆う第３ガード部３４ｂをさらに有する。第２ガード部材３５は、第２ガード部３５ａに一体形成され、第１カバー部材３２と第１ロータアーム３０ｂの他方の第１側部３０ｅとの境界部分の少なくとも一部を覆う第４ガード部３５ｂをさらに有する。この場合には、連結部３０ａの後端面と外側面の保護に加えて、第１ロータアーム３０ｂの一対の側部３０ｆ，３０ｅと第１カバー部材３２との境界部分も保護できる。
【００７２】
（Ｄ）スピニングリール１００において、第１カバー部材３２は、少なくとも第１ロータアーム３０ｂに１ネジ部材５５ａによって固定される。第１ガード部材３４は、第１ガード部３４ａと第３ガード部３４ｂとの接続部分で、また第２ガード部材３５は、第２ガード部３５ａと第４ガード部３５ｂとの接続部分で、それぞれロータ本体３０にネジ部材５６ａによって固定される。
【００７３】
この場合には、第１カバー部材３２が第１ロータアーム３０ｂにネジ部材５５ａによって固定され、第１ガード部材３４及び第２ガード部材３５はそれぞれネジ部材５６ａ，５６ｂによってロータ本体３０に固定される。このため、それぞれのネジ部材５６ａ，５６ｂによって第１ガード部材３４及び第２ガード部材３５をロータ本体３０から着脱できる。
【００７４】
（Ｅ）スピニングリール１００において、第３ガード部３４ｂは、第１カバー部材３２と第１ロータアーム３０ｃとの間に配置され、第１カバー部材３２によって第１ロータアーム３０ｂに固定される第１挟持部３４ｆを有する。第４ガード部３５ｂは、第１カバー部材３２と第１ロータアーム３０ｂとの間に配置され、第１カバー部材３２によって第１ロータアーム３０ｂに固定される第２挟持部３５ｆを有する。
【００７５】
この場合には、第１カバー部材３２が第１ロータアーム３０ｂに固定されると、第１挟持部３４ｆ及び第２挟持部３５ｆが第１ロータアーム３０ｂに固定される。このため、第１ガード部材３４及び第２ガード部材３５をそれぞれ１本のネジ部材５６ａで固定しても、第２ガード部３４ｂ及び第４ガード部３５ｂがガタツキにくくなる。
【００７６】
（Ｆ）スピニングリール１００において、第１挟持部３４ｆは、第１カバー部材３２の内側面に係合して第３ガード部３４ｂのずれを防止するための第１係合部３４ｇと、第１係合部３４ｇと別に設けられ、第３ガード部３４ｂを位置決めする第１位置決め突起３４ｈと、を有する。第２挟持部３５ｆは、第１カバー部材３２の内側面に係合して第４ガード部３５ｂのずれを防止するための第２係合部３５ｇと、第２係合部３５ｇと別に設けられ、第４ガード部３５ｂを位置決めする第２位置決め突起３５ｈと、を有する。
【００７７】
この場合には、第１ガード部材３４及び第２ガード部材３５をそれぞれ１本のネジ部材５６ａによってロータ本体３０に固定しても、第１ガード部材３４の第３ガード部３４ｂのずれを第１係合部３４ｇによって、第２ガード部材３５の第４ガード部３５ｂのずれを第２係合部３５ｇによってそれぞれ防止できる。また、第１位置決め突起３４ｈによって第３ガード部３４ｂが位置決めされ、第２位置決め突起３５ｈによって第４ガード部３５ｂが位置決めされるので、第３ガード部３４ｂ及び第４ガード部３５ｂが位置ずれしにくくなる。
【００７８】
（Ｇ）スピニングリール１００において、第１ガード部材３４の第１ガード部３４ａと第３ガード部３４ｂ、及び第２ガード部材３５の第２ガード部３５ａと第４ガード部は３５ｂ、それぞれ滑らかに接続される。
【００７９】
この場合に、前後方向に沿って配置される第３ガード部３４ｂ及び周方向に沿って配置される第１ガード部３４ａ、並びに前後方向に沿って配置される第４ガード部３５ｂ及び周方向に沿って配置される第２ガード部３５ａがそれぞれ滑らかに接続されるので、接続部分に釣り糸が引っ掛かりにくい。
【００８０】
（Ｈ）スピニングリール１００において、ロータ３は、ロータ本体３０に対して着脱可能であり、第２ロータアーム３０ｃの径方向の外側を覆う第２カバー部材３３をさらに有する。第１ロータアーム３０ｂの一方の第１側部３０ｄは、他方の第１側部３０ｅよりもロータ３の糸巻取回転方向Ａの上流側に配置される。第１ガード部材３４は、第２ロータアーム３０ｃの一方の第２側部３０ｆと第２カバー部材３３との境界部分の少なくとも一部を覆い、第１ガード部３４ａと一体形成された第５ガード部３４ｃを有する。第２ガード部材３５は、第２ロータアーム３０ｃの他方の第２側部３０ｇと第２カバー部材３３との境界部分の少なくとも一部を覆い第２ガード部３５ａと一体形成された第６ガード部３５ｃを有する。第２ロータアーム３０ｃの一方の第２側部３０ｆは、他方の第２側部３０ｇよりもロータの糸巻取回転方向Ａの下流側に配置される。
【００８１】
この場合には、第１ガード部材３４によって第２ロータアーム３０ｃの一方の第２側部３０ｆと第２カバー部材３３との境界部分を覆い、第２ガード部材３５によって第２ロータアーム３０ｃの他方の第２側部３０ｇと第２カバー部材３３との境界部分を覆うので、連結部３０ａの後端面と外側面との境界部分及び第１ロータアーム３０ｂの一対の第１側部３０ｄ，３０ｅと第１カバー部材３２との境界部分に加えて、第２ロータアーム３０ｃの一対の第２側部３０ｆ、３０ｇと第２カバー部材３３との境界部分を保護できる。
【００８２】
（Ｉ）スピニングリール１００において、第２カバー部材３３は、少なくとも第２ロータアーム３０ｃにネジ部材５５ｂによって固定される。第１ガード部材３４は、第１ガード部３４ａと第５ガード部３４ｃとの接続部分で、第２ガード部材３５は、第２ガード部３５ａと第６ガード部３５ｃとの接続部分で、それぞれ、ロータ本体３０にネジ部材５６ｂによって固定される。
【００８３】
この場合には、第２カバー部材３３がロータにネジ部材５５ｂによって固定され、第１ガード部材３４及び第２ガード部材３５はそれぞれネジ部材５６ａ及びネジ部材５６ｂによってロータ本体３０に固定される。このため、それぞれのネジ部材５６ａ、５６ｂによって第１ガード部材３４及び第２ガード部材３５をロータ本体３０から着脱できる。
【００８４】
（Ｊ）スピニングリール１００において、第５ガード部３４ｃは、第２カバー部材３３と第２ロータアーム３０ｃとの間に配置され、第２カバー部材３３によって第２ロータアーム３０ｃに固定される第３挟持部３４ｉを有する。第６ガード部３５ｃは、第２カバー部材３３と第２ロータアーム３０ｃとの間に配置され、第２カバー部材３３によって第２ロータアーム３０ｃに固定される第４挟持部３５ｉを有する。
【００８５】
この場合には、第２カバー部材３３が第２ロータアーム３０ｃに固定されると、第３挟持部３４ｉ及び第４挟持部３５ｉが第２ロータアーム３０ｃに固定される。このため、第１ガード部材及び第２ガード部材のそれぞれの接続部分をそれぞれネジ部材５６ａとネジ部材５６ｂで固定しても、第５ガード部３４ｃ及び第６ガード部３５ｃがガタツキにくくなる。
【００８６】
（Ｋ）スピニングリール１００において、第３挟持部３４ｉは、第２カバー部材３３の内側面に係合して第５ガード部３４ｃのずれを防止するための第３係合部３４ｊと、第２係合部３４ｊと別に設けられ、第５ガード部３４ｃを位置決めする第２位置決め突起３４ｋと、を有する。第４挟持部３５ｉは、第２カバー部材３３の内側面に係合して第６ガード部３５ｃのずれを防止するための第４係合部３５ｊと、第４係合部３５ｊと別に設けられ、第６ガード部３５ｃを位置決めする第４位置決め突起３５ｋと、を有する。
【００８７】
この場合には、第１ガード部材３４及び第２ガード部材３５のそれぞれを接続部分でネジ部材５６ａ及びネジ部材５６ｂによってロータ本体３０に固定しても、第１ガード部材３４の第５ガード部３４ｃ及び第２ガード部材３５の第６ガード部３５ｃのそれぞれのずれを第３係合部３４ｊ及び第４係合部３５ｊによって防止でき、かつ第３位置決め突起３４ｋ及び第４位置決め突起３５ｋによってそれぞれの位置決めがなされるので、第１ガード部材３４に第５ガード部３４ｃを、第２ガード部材３５に第６ガード部３５ｃを設けても、第５ガード部３４ｃ及び第６ガード部３５ｃが位置ずれしにくくなる。
【００８８】
（Ｌ）スピニングリール１００において、第１ガード部材３４の第１ガード部３４ａと第５ガード部３４ｃ、及び第２ガード部材３５の第２ガード部３５ａと第６ガード部３５ｃは、それぞれ滑らかに接続されるように形成される。
【００８９】
この場合に、前後方向に沿って配置される第５ガード部３４ｃ及び周方向に沿って配置される第１ガード部３４ａ、並びに前後方向に沿って配置される第６ガード部３５ｃ及び周方向に沿って配置される第２ガード部３５ａがそれぞれ滑らかに接続されるので、接続部分に釣り糸が引っ掛かりにくい。
【００９０】
（Ｍ）スピニングリール１００において、第１ガード部材３４及び第２ガード部材３５は、合成樹脂製であり、外側面に合成樹脂素材が露出する。この場合には、第１ガード部材３４及び第２ガード部材３５が合成樹脂製であるので、金属製のものに比べて柔らかく傷付きやすいがガード部材を設けても軽量化を図れる。また、合成樹脂素材が外部に露出する、すなわち、めっきや塗装などによって被膜が形成されていないため、被膜が剥離せず素材自体が傷付くだけである。このため、第１ガード部材３４及び第２ガード部材３５が傷付いても傷が目立ちにくい。
【００９１】
＜他の実施形態＞
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組合せ可能である。
【００９２】
（ａ）前記実施形態では、第１ガード部材３４及び第２ガード部材３５の後面に後カバー部材が配置されていないが、本発明はこれに限定されない。例えば、図７に示すように、第１ガード部材３４の第１ガード部３４ａの両端部と第２ガード部材３５の第２ガード部３５ａの両端部とをそれぞれつなぐ第１後カバー部材１３４及び第２後カバー部材１３５を設けてもよい。この場合、図７に示すように、第１後カバー部材１３４及び第２後カバー部材１３５を、第１ガード部材３４及び第２ガード部材３５と別に設けることでガード部材の取り外しが容易になる。図７では、第１後カバー部材１３４は、ネジ部材５６ａによって、第１ガード部材３４及び第２ガード部材３５とともに、ロータ本体３０に固定される。第２後カバー部材１３５は、ネジ部材５６ｂによって、第１ガード部材３４及び第２ガード部材３５とともに、ロータ本体３０に固定される。
【００９３】
また、第１後カバー部材１３４を第１ガード部材３４及び第２ガード部材３５の一方と一体形成し、第２後カバー部材１３５を第１ガード部材３４及び第２ガード部材３５の他方と一体形成してもよい。
【００９４】
（ｂ）前記実施形態では、第１及び第２ロータアーム３０ｂ，３０ｃのいずれかにも第１及び第２カバー部材３２，３３を設けたが、いずれかのロータアームだけにカバー部材を設けてもよい。この場合、たとえば、カバー部材を有さないロータアームでは、ロータアームの一対の側部に装着凹部を設けてもよい。また、第５ガード部及び第６ガード部を設けなくてもよい。
【００９５】
（ｃ）前記実施形態では、第１ガード部材３４に第３ガード部３４ｂ及び第５ガード部３４ｃを設け、第２ガード部材３５に第４ガード部３５ｃ及び第６ガード部３５ｃを設けたが、これらを設けなくてもよい。また、第３ガード部材から第６ガード部材をそれぞれ第１ガード部材及び第２ガード部材と独立して設けてもよく、第３ガード部と第４ガード部、第５ガード部と第６ガード部をそれぞれ一体で形成してもよい。
【００９６】
（ｄ）他の実施形態（ａ）では、第１後カバー部材と第２後カバー部材を別体で設けたが、一体の環状に形成してもよい。この場合、ロータをリール本体に取り付けたまま後カバー部材とガード部材を固定するねじを外し、後カバー部材を後方にずらしてガード部材を取り外せばよい。
【符号の説明】
【００９７】
３    ロータ
３０    ロータ本体
３０ａ  連結部
３０ｂ  第１ロータアーム
３０ｃ  第２ロータアーム
３０ｄ  第１ロータアームの一方の側部
３０ｅ  第１ロータアームの他方の側部
３０ｆ  第２ロータアームの一方の側部
３０ｇ  第２ロータアームの他方の側部
３２    第１カバー部材
３３    第２カバー部材
３４    第１ガード部材
３４ａ  第１ガード部
３４ｂ  第３ガード部
３４ｃ  第５ガード部
３４ｆ  第１挟持部
３４ｇ  第１係合部
３４ｈ  第１位置決め突起
３４ｉ  第２挟持部
３４ｊ  第２係合部
３４ｋ  第２位置決め突起
３５    第２ガード部材
３５ａ  第２ガード部
３５ｂ  第４ガード部
３５ｃ  第６ガード部
３５ｆ  第３挟持部
３５ｇ  第３係合部
３５ｈ  第３位置決め突起
３５ｉ  第４挟持部
３５ｊ  第４係合部
３５ｋ  第４位置決め突起
５５ａ  ネジ部材（第１ネジ部材の一例）
５５ｂ  ネジ部材（第３ネジ部材の一例）
５６ａ  ネジ部材（第２ネジ部材の一例）
５６ｂ  ネジ部材（第４ネジ部材の一例）
【図１】
2014121284.tif 000003
【図２】
2014121284.tif 000004
【図３】
2014121284.tif 000005
【図４】
2014121284.tif 000006
【図５】
2014121284.tif 000007
【図６】
2014121284.tif 000008
【図７】
2014121284.tif 000009